(57)【要約】【課題】ペットに不快感を与えずに簡単に装着し固定することができると共に、おむつを尿用と便用の２つに分けて取り替えも容易にするペット用おむつを提供する。【解決手段】ペットの臀部にはかせるパンツ型おむつ１０と、ペットの尿道口及びその近傍を覆うシート型おむつ２０と、ペットの胴周りに装着する装着具３０とからなり、シート型おむつ２０の後端部をパンツ型おむつ１０の中に挿入し、シート型おむつ２０の前端部２２を装着具３０の係止部３１に係止させてこれらを連結したことを特徴とする。【選択図】図２
0003141793.tif 000002
【実用新案登録請求の範囲】
【請求項１】
ペットの臀部にはかせるパンツ型おむつと、ペットの尿道口及びその近傍を覆うシート型おむつと、ペットの胴周りに装着する装着具とからなり、前記シート型おむつの後端部を前記パンツ型おむつの中に挿入すると共に前記シート型おむつの前端部を前記装着具の係止部に係止させてこれらを連結したことを特徴とするペット用おむつ。
【請求項２】
前記パンツ型おむつ及び前記シート型おむつは柔らかい吸水性材料からなり、前記パンツ型おむつにペットの尻尾を通すための穴を備えたことを特徴とする請求項１に記載のペット用おむつ。
【請求項３】
前記装着具はペットの胴回りに着せる服を兼用したものであり、ペットの背中側において面ファスナー同士を係合させて着脱自在に取り付けられ、ペットの腹部に接する位置に前記係止部を設けて前記シート型おむつとの連結を容易にしたことを特徴とする請求項１又は請求項２に記載のペット用おむつ。
【考案の詳細な説明】
【技術分野】
【０００１】
本考案は、ペットに不快感を与えずに簡単に装着し固定することができると共におむつを尿用と便用の２つに分けて取り替えも容易にするペット用おむつに関するものである。
【背景技術】
【０００２】
従来からペットに装着する「ペット用おむつ」に関して種々考えられており、例えば、以下のような提案がなされている。
【０００３】
特開２００７−１５９４２０号公報には、ペットの後胴体に装着されるパンツ本体と、該パンツ本体に取り付けられるサスペンダーとを備えた「ペット用おむつパンツ」が開示されている（特許文献１）。
【０００４】
実用新案登録第３１３６１９２号公報には、おむつパッド前部に一本のバンドからなるサスペンダーの一端を固着し、おむつパッドの側部には胴巻きベルトを配設した「犬猫用等のペット用紙おむつ」が開示されている（特許文献２）。
【０００５】
特開平７−２４６０３６号公報には、おむつ本体と、取り付けバンドと、排泄物収納部とからなる「犬用おむつ」が開示されている（特許文献３）。
【０００６】
実用新案登録第３２０３７８号公報には、おむつカバーに胴ベルト・肩ベルトを備えた「ペット動物用おむつカバー」が開示されている（特許文献４）。
【０００７】
しかしながら、上記のペット用おむつは、いずれもサスペンダーやバンド等を用いておむつ本体を固定するものであるため、装着する際にペットが動き回ると大変な手間が掛かり、装着した後にペットが暴れ回るとおむつがずれたり外れてしまう可能性があり又それを防止するためにきつく締め付けて固定するとペットに不快感を与えることになる。
一方、老齢や病気などにより身体の不自由なペットには、常時おむつを装着しておく必要があるので、ペットに対する負担の少ないものが望まれる。また、飼い主が長時間留守をする場合などペットの世話ができないときでも、おむつがずれたり外れたりせず、安心して使用できるものが必要とされる。
【０００８】
【特許文献１】特開２００７−１５９４２０号公報
【特許文献２】実用新案登録第３１３６１９２号公報
【特許文献３】特開平７−２４６０３６号公報
【特許文献４】実用新案登録第３２０３７８号公報
【考案の開示】
【考案が解決しようとする課題】
【０００９】
そこで、本考案は、上記の問題を解決するため従来のペット用おむつにはみられない独自の工夫を施すことにより、ペットに不快感を与えずに簡単に装着し固定することができると共に、おむつを尿用と便用の２つに分けて取り替えも容易にするペット用おむつを提供することを目的とする。
【課題を解決するための手段】
【００１０】
上記課題を解決するために、請求項１に記載の考案は、ペットの臀部にはかせるパンツ型おむつと、ペットの尿道口及びその近傍を覆うシート型おむつと、ペットの胴周りに装着する装着具とからなり、前記シート型おむつの後端部を前記パンツ型おむつの中に挿入すると共に前記シート型おむつの前端部を前記装着具の係止部に係止させてこれらを連結したことを特徴とする。
【００１１】
また、請求項２に記載の考案について、請求項１に記載の前記パンツ型おむつ及び前記シート型おむつは柔らかい吸水性材料からなり、前記パンツ型おむつにペットの尻尾を通すための穴を備えたことを特徴とする。
【００１２】
また、請求項３に記載の考案について、請求項１又は請求項２に記載の前記装着具はペットの胴回りに着せる服を兼用したものであり、ペットの背中側において面ファスナー同士を係合させて着脱自在に取り付けられ、ペットの腹部に接する位置に前記係止部を設けて前記シート型おむつとの連結を容易にしたことを特徴とする。
【考案の効果】
【００１３】
以上のように、本考案はパンツ型おむつ及びシート型おむつとペットの胴周りに装着する装着具とからなり、シート型おむつの後端部をパンツ型おむつの中に挿入すると共にシート型おむつの前端部を装着具の係止部に係止させてこれらを連結したことにより、ペットに不快感を与えずに簡単に装着して長時間固定することができることから、常時おむつを装着しておく必要がある身体の不自由なペットにも安心して使用できる。また、おむつを尿用と便用の２つに分けることにより、各おむつの取り替えも容易であり、経済的である。
【考案を実施するための最良の形態】
【００１４】
以下、本考案の実施の一形態について、図面を参酌しながら説明する。なお、本考案にかかるペット用おむつは、以下の実施例に限定されるものではなく、使用状況によって適宜変更することができる。
【００１５】
図１は本考案にかかるペット用おむつを構成するパンツ型おむつ及びシート型おむつの一例を示す斜視図、図２は本考案にかかるペット用おむつを連結させた状態を示す斜視図、図３は本考案にかかるペット用おむつを構成する装着具の一例を示す平面図である。
【００１６】
ペット用おむつは、図１乃至図３に示すように、ペットの臀部にはかせるパンツ型おむつ１０と、ペットの尿道口及びその近傍を覆うシート型おむつ２０と、ペットの胴周りに装着する装着具３０とから構成されている。
パンツ型おむつ１０及びシート型おむつ２０は、人間用おむつと同様に柔らかい吸水性を有する材料からなる。パンツ型おむつ１０には、ペットの尻尾を通すための尻尾穴１１が形成されている。
ここで、パンツ型おむつ１０について、更に具体的な実施例を説明する。
現在、ペット用の紙おむつについては、各種メーカーから種々の商品が販売されているが、以下のような問題があった。
（１）ペット用の紙おむつの中でテープ着脱式のものは、足腰の弱った立てない犬や、紙おむつをいやがって動き拒否する犬等には、はかせにくい。
（２）ペット用の紙おむつは、全般的に股上が浅く、装着しても直ぐにずり落ちてしまう。
（３）ペット用の紙おむつは、尻尾穴が開いており便利であるが尻尾穴の位置や大きさが合わないことがある。
（４）ペット用の紙おむつは、価格帯が高く設定されているため、経済的な負担が大きい。
以上のような問題を解決するためには、幼児用の紙おむつ（はかせるパンツタイプ）をペットにも使用することが考えられる。すなわち、幼児用の紙おむつ（はかせるパンツタイプ）をペットに代用することができれば、以下の効果を奏することができる。
（ａ）装着が簡単になる。
（ｂ）股上が深く、ずり落ちにくい。
（ｃ）尻尾穴を自分で開ける手間が多少かかるが、位置や大きさは自由に決められる。なお、尻尾穴の切り込み部分に点線マーク等の目印を印刷しておくことが好ましい。
（ｄ）価格が安く経済的である。
次に、装着具３０は、ペットの胴周りに着せる服を兼用することができる。装着具３０は、図２及び図３に示すように長方形状の生地から構成され、その両端部の表裏に一対の面ファスナー３２ａ・３３ａ、３２ｂ・３３ｂ、３２ｃ・３３ｃが縫製等により取り付けられている。また、装着具３０のペットの腹部に接する位置には、ゴムバンドが縫製等により取り付けられ、係止部３１が形成されている。この係止部３１にシート型おむつ２０の前端部２２を挿通して係止させる。これにより、シート型おむつ２０の後端部２１をパンツ型おむつ１０の中に挿入すると共に、シート型おむつ２０の前端部２２を装着具３０の係止部３１に係止させてこれらを容易に連結することができる。
【００１７】
図４は、図３に示す装着具に取り付ける肩掛けの一例を示す平面図である。装着具３０のペットの背中側の位置には、図３に示すようにボタン等の留め具３４が取り付けられ、その留め具３４に肩掛け４０の留め紐４３を挿通して留める。また、肩掛け４０は、図４に示すようにペットの首の周りに巻きつける形状に形成され、その前側両端部の表裏に一対の面ファスナー４１・４２が縫製等により取り付けられている。
肩掛け４０は、寒い時など装着具３０に任意に取り付けて使用できるものである。それに加え、特に老犬や病犬にとっては病院治療で点滴を要する場合、インシュリン投与などで数回の注射を要する場合等において、服を全て脱がさなくても肩掛け４０の着脱だけで対応できるため、犬自身の負担を軽減できると考えられる。
【００１８】
次に、ペット用おむつの装着方法について説明する。
【００１９】
図５は図１に示すパンツ型おむつ及びシート型おむつをペットに装着した状態を示す説明図、図６は図５に示す状態を下側から見た説明図である。
図５及び図６に示すように、ペットの臀部にパンツ型おむつ１０をはかせた後、ペットの尿道口及びその近傍を覆うシート型おむつ２０の後端部をパンツ型おむつ１０の中に挿入する。
【００２０】
図７は図２に示すペット用おむつをペットに装着する手順を示す説明図、図８は図７に示す装着具をペットの胴周りに装着させた状態を示す説明図である。
図７及び図８に示すように、シート型おむつ２０の前端部２１を装着具３０の係止部３１に係止させて連結した後、ペットの胴周りに装着具３０を着せてペットの背中側で一対の面ファスナー３２・３３を係合させて固定する。これにより、ペットに不快感を与えずに簡単に装着して長時間固定することができ、各おむつの取り替えも容易である。
【００２１】
図９は図８に示す装着具に肩掛けを取り付けた状態を示す説明図、図１０は  図９に示す状態を下側から見た説明図である。
装着具３０のペットの背中側の位置に取り付けられたボタン等の留め具３４に、肩掛け４０の留め紐４３を挿通して留める。
【図面の簡単な説明】
【００２２】
【図１】本考案にかかるペット用おむつを構成するパンツ型おむつ及びシート型おむつの一例を示す斜視図である。
【図２】本考案にかかるペット用おむつを連結させた状態を示す斜視図である。
【図３】本考案にかかるペット用おむつを構成する装着具の一例を示す平面図である。
【図４】図３に示す装着具に取り付ける肩掛けの一例を示す平面図である。
【図５】図１に示すパンツ型おむつ及びシート型おむつをペットに装着した状態を示す説明図である。
【図６】図５に示す状態を下側から見た説明図である。
【図７】図２に示すペット用おむつをペットに装着する手順を示す説明図である。
【図８】図７に示す装着具をペットの胴周りに装着させた状態を示す説明図である。
【図９】図８に示す装着具に肩掛けを取り付けた状態を示す説明図である。
【図１０】図９に示す状態を下側から見た説明図である。
【符号の説明】
【００２３】
１０  パンツ型おむつ
１１  尻尾穴
２０  シート型おむつ
２１  後端部
２２  前端部
３０  装着具
３１  係止部
３２  面ファスナー
３３  面ファスナー
３４  留め具
４０  肩掛け
４１  面ファスナー
４２  面ファスナー
４３  留め紐
【図１】
0003141793.tif 000003
【図２】
0003141793.tif 000004
【図３】
0003141793.tif 000005
【図４】
0003141793.tif 000006
【図５】
0003141793.tif 000007
【図６】
0003141793.tif 000008
【図７】
0003141793.tif 000009
【図８】
0003141793.tif 000010
【図９】
0003141793.tif 000011
【図１０】
0003141793.tif 000012